(57)【要約】      （修正有）【課題】本体布内に収容した眼鏡の飛び出しや汚れを抑制できる眼鏡ケースを提供する。【解決手段】本眼鏡ケース１は、長尺袋状に形成されるとともに、その長尺方向の一端側に眼鏡２を出し入れするための開口３が形成された本体布５と、本体布に縫い付けられる眼鏡拭き６と、を備え、眼鏡拭き６は、本体布内に眼鏡を収容した状態で開口を塞ぎ得るように設けられている。上記本体布５は、例えば、複数の分割布７ａ〜７ｂを縫い合わせて形成されている。【選択図】図１
2019198388.tif 000002
【特許請求の範囲】
【請求項１】
布製の眼鏡ケースであって、
長尺袋状に形成されるとともに、その長尺方向の一端側に眼鏡を出し入れするための開口が形成された本体布と、
前記本体布に縫い付けられる眼鏡拭きと、を備え、
前記眼鏡拭きは、前記本体布内に前記眼鏡を収容した状態で前記開口を塞ぎ得るように設けられていることを特徴とする眼鏡ケース。
【請求項２】
前記本体布は、複数の分割布を縫い合わせて形成されている請求項１に記載の眼鏡ケース。
【請求項３】
前記分割布は、畳縁用の織物により形成されている請求項２に記載の眼鏡ケース。
【請求項４】
前記本体布の内側には、裏地布が配置されており、
前記本体布と前記裏地布との間には、中間布が配置されている請求項２又は３に記載の眼鏡ケース。
【請求項５】
前記中間布は、不織布により形成されている請求項４に記載の眼鏡ケース。
【請求項６】
前記本体布の内側には、裏地布が配置されており、
前記本体布及び前記裏地布の前記開口側の各縁部は、前記本体布と前記裏地布との間の内側に折り込まれており、該開口側の各縁部に前記眼鏡拭きの縁部が第１糸で縫い付けられている請求項１乃至５のいずれか一項に記載の眼鏡ケース。
【請求項７】
前記裏地布は、前記眼鏡拭きと同種の材質により形成されている請求項４又は６に記載の眼鏡ケース。
【請求項８】
請求項６に記載の眼鏡ケースの製造方法であって、
シート状の前記本体布の意匠面となる表面側に前記眼鏡拭きを介して前記裏地布を配置して、前記本体布及び前記裏地布の前記開口側の各縁部に前記眼鏡拭きの縁部を第１布で縫い付ける第１縫付工程と、
前記第１縫付工程の後に、前記本体布の非意匠面となる裏面側に前記裏地布を配置することで、前記本体布及び前記裏地布の前記開口側の各縁部を前記本体布と前記裏地布との間の内側に折り込む縁部折込工程と、
前記縁部折込工程の後に、前記本体布及び前記裏地布を前記開口側の各縁部の左右の中心を通る折り返し線で半分に折り返して、前記本体布及び前記裏地布の前記開口側の各縁部以外の周縁部を第２糸で縫い付ける第２縫付工程と、を備えることを特徴とする眼鏡ケースの製造方法。
【発明の詳細な説明】
【技術分野】
【０００１】
本発明は、眼鏡ケース及びその製造方法に関し、更に詳しくは、眼鏡拭きを一体に備える眼鏡ケース及びその製造方法に関する。
【背景技術】
【０００２】
従来の眼鏡ケースとして、眼鏡拭きを一体に備えるものが一般に知られている（例えば、特許文献１等参照）。この特許文献１には、眼鏡の取出性を高めるために、ケース本体内に収容した眼鏡の一部を開口から突出させることが記載されている。さらに、特許文献１には、ケース本体の内側に眼鏡拭きと一体の裏地布を配置することが記載されている。
【先行技術文献】
【特許文献】
【０００３】
【特許文献１】実開平０４−１３３７２６号公報
【発明の概要】
【発明が解決しようとする課題】
【０００４】
しかし、上記特許文献１に記載された技術では、ケース本体内に収容した眼鏡の一部を開口から突出させているので、眼鏡ケースの携帯時等に開口から眼鏡が飛び出し易く、さらに眼鏡が汚れ易い。
【０００５】
また、上記特許文献１には、ケース本体の材質について具体的な記載がないが、布製のケース本体を採用する場合、意匠性に優れた眼鏡ケースの出現が望まれている。
【０００６】
さらに、上記特許文献１に記載された技術では、ケース本体の内側に眼鏡拭きと一体の裏地布を配置しているので、布製のケース本体を採用する場合、ケース本体に裏地布を縫い付けることが考えられる。しかしながら、眼鏡拭きには比較的強い引っ張り荷重が繰り返しかかるため、長期使用により縫い目が解けて眼鏡ケースの意匠生が低下してしまう。
【０００７】
本発明は、上記現状に鑑みてなされたものであり、本体布内に収容した眼鏡の飛び出しや汚れを抑制できる眼鏡ケースを提供することを目的とする。
本発明は、上記目的に加えて、意匠性に優れた眼鏡ケースを提供すること、並びに眼鏡拭きの縫付強度を高めることができる眼鏡ケース及びその製造方法を提供することを他の目的とする。
【課題を解決するための手段】
【０００８】
本発明は、以下の通りである。
１．布製の眼鏡ケースであって、長尺袋状に形成されるとともに、その長尺方向の一端側に眼鏡を出し入れするための開口が形成された本体布と、前記本体布に縫い付けられる眼鏡拭きと、を備え、前記眼鏡拭きは、前記本体布内に前記眼鏡を収容した状態で前記開口を塞ぎ得るように設けられていることを特徴とする。
２．前記本体布は、複数の分割布を縫い合わせて形成されている上記１．に記載の眼鏡ケース。
３．前記分割布は、畳縁用の織物により形成されている上記２．に記載の眼鏡ケース。
４．前記本体布の内側には、裏地布が配置されており、前記本体布と前記裏地布との間には、中間布が配置されている上記２．又は３．に記載の眼鏡ケース。
５．前記中間布は、不織布により形成されている上記４．に記載の眼鏡ケース。
６．前記本体布の内側には、裏地布が配置されており、前記本体布及び前記裏地布の前記開口側の各縁部は、前記本体布と前記裏地布との間の内側に折り込まれており、該開口側の各縁部に前記眼鏡拭きの縁部が第１糸で縫い付けられている上記１．乃至５．のいずれか一項に記載の眼鏡ケース。
７．前記裏地布は、前記眼鏡拭きと同種の材質により形成されている上記４．又は６．に記載の眼鏡ケース。
８．上記６．に記載の眼鏡ケースの製造方法であって、シート状の前記本体布の意匠面となる表面側に前記眼鏡拭きを介して前記裏地布を配置して、前記本体布及び前記裏地布の前記開口側の各縁部に前記眼鏡拭きの縁部を第１布で縫い付ける第１縫付工程と、前記第１縫付工程の後に、前記本体布の非意匠面となる裏面側に前記裏地布を配置することで、前記本体布及び前記裏地布の前記開口側の各縁部を前記本体布と前記裏地布との間の内側に折り込む縁部折込工程と、前記縁部折込工程の後に、前記本体布及び前記裏地布を前記開口側の各縁部の左右の中心を通る折り返し線で半分に折り返して、前記本体布及び前記裏地布の前記開口側の各縁部以外の周縁部を第２糸で縫い付ける第２縫付工程と、を備えることを特徴とする。
【発明の効果】
【０００９】
本発明の眼鏡ケースによると、長尺袋状に形成されるとともに、その長尺方向の一端側に眼鏡を出し入れするための開口が形成された本体布と、本体布に縫い付けられる眼鏡拭きと、を備え、眼鏡拭きは、本体布内に眼鏡を収容した状態で開口を塞ぎ得るように設けられている。これにより、眼鏡拭きを利用して開口を塞ぐことで、本体布内に収容した眼鏡の飛び出しや汚れ等が抑制される。
また、前記本体布が、複数の分割布を縫い合わせて形成されている場合は、意匠性の高い分割布を採用することで、眼鏡ケースの意匠性が高められる。
また、前記分割布が、畳縁用の織物により形成されている場合は、意匠性に優れるとともに、軽量且つ丈夫で汚れ難い本体布を採用できる。
また、前記本体布の内側に、裏地布が配置されており、前記本体布と前記裏地布との間に、中間布が配置されている場合は、裏地布及び中間布により本体布の各分割布の縫い合わせ部分での手触りの違和感（凹凸感）が抑制される。さらに、裏地布により本体布内に収容された眼鏡の保護性が高められる。
また、前記中間布が、不織布により形成されている場合は、比較的薄い中間布により本体布の手触りの違和感が抑制される。
また、前記本体布の内側に、裏地布が配置されており、前記本体布及び前記裏地布の前記開口側の各縁部が、前記本体布と前記裏地布との間の内側に折り込まれており、該開口側の各縁部に前記眼鏡拭きの縁部が第１糸で縫い付けられている場合は、本体布及び裏地布の両者に眼鏡拭きが縫い付けられるとともに、眼鏡拭きの縫い目が外部に露出しないため、長期使用しても眼鏡拭きの縫い目が解け難く、眼鏡拭きの縫付強度が高められて眼鏡ケースの意匠性の低下が抑制される。さらに、裏地布により本体布内に収容された眼鏡の保護性が高められる。
さらに、前記裏地布が、前記眼鏡拭きと同種の材質により形成されている場合は、裏地布に眼鏡拭き機能を持たせることができる。
【００１０】
本発明の眼鏡ケースの製造方法によると、シート状の本体布の意匠面となる表面側に眼鏡拭きを介して裏地布を配置して、本体布及び裏地布の開口側の各縁部に眼鏡拭きの縁部を第１糸で縫い付ける第１縫付工程と、第１縫付工程の後に、本体布の非意匠面となる裏面側に裏地布を配置することで、本体布及び裏地布の開口側の各縁部を本体布と裏地布との間の内側に折り込む縁部折込工程と、縁部折込工程の後に、本体布及び裏地布を開口側の各縁部の左右の中心を通る折り返し線で半分に折り返して、本体布及び裏地布の開口側の各縁部以外の周縁部を第２糸で縫い付ける第２縫付工程と、を備える。これにより、上述の眼鏡ケースを効率良く製造できる。
【図面の簡単な説明】
【００１１】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る眼鏡ケースの斜視図であり、（ａ）は開口の開放状態を示し、（ｂ）は開口の閉塞状態を示す。
【図２】図１のＩＩ−ＩＩ線断面拡大図である。
【図３】図１のＩＩＩ−ＩＩＩ線断面拡大図である。
【図４】上記眼鏡ケースの製造方法（本体布形成工程）を説明するための説明図であり、（ａ）は複数の分割布の各平面図を示し、（ｂ）は複数の分割布を縫い合わせて一枚の本体布を形成した状態を示す。
【図５】上記眼鏡ケースの製造方法（第１縫付工程）を説明するための説明図であり、本体布上に、眼鏡拭き、裏地布及び中間布を順に配置する状態を示す。
【図６】上記眼鏡ケースの製造方法（第１縫付工程）を説明するための説明図であり、（ａ）は本体布、眼鏡拭き、裏地布及び中間布の各縁部を第１糸で縫い付けた状態を示し、（ｂ）はｂ−ｂ線断面拡大図を示す。
【図７】上記眼鏡ケースの製造方法（縁部折込工程）を説明するための説明図であり、（ａ）は本体布、裏地布及び中間布を裏返す途中の状態を示し、（ｂ）はｂ−ｂ線断面拡大図を示す。
【図８】上記眼鏡ケースの製造方法（縁部折込工程）を説明するための説明図であり、（ａ）は本体布、裏地布及び中間布を裏返した状態を示し、（ｂ）はｂ−ｂ線断面拡大図を示す。
【図９】上記眼鏡ケースの製造方法（第２縫付工程）を説明するための説明図であり、（ａ）は本体布、裏地布及び中間布を半分に折り返す途中の状態を示し、（ｂ）は本体布、裏地布及び中間布を半分に折り返した状態を示し、（ｃ）は本体布、裏地布及び中間布の周縁部を第２糸で縫い付けた状態を示す。
【図１０】他の形態に係る眼鏡ケースを説明するための説明図であり、（ａ）は本体布の縁部の内側に中間布の縁部が配置される形態を示し、（ｂ）は中間布を備えない形態を示す。
【発明を実施するための形態】
【００１２】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１３】
＜眼鏡ケース＞
本実施形態に係る眼鏡ケースは、布製の眼鏡ケース（１）であって、長尺袋状に形成されるとともに、その長尺方向の一端側に眼鏡（２）を出し入れするための開口（３）が形成された本体布（５）と、本体布に縫い付けられる眼鏡拭き（６）と、を備え、眼鏡拭き（６）は、本体布（５）内に眼鏡（２）を収容した状態で開口（３）を塞ぎ得るように設けられている（例えば、図１等参照）。この本体布（５）の材質、形状、大きさ等は特に問わない。さらに、眼鏡拭き（６）の材質、形状、大きさ等は特に問わない。この眼鏡拭きは、例えば、マイクロファイバーからなる生地により形成されていることができる。
【００１４】
本実施形態に係る眼鏡ケースとしては、例えば、上記本体布（５）は、複数の分割布（７ａ〜７ｃ）を縫い合わせて形成されていることができる（例えば、図４等参照）。この分割布（７ａ〜７ｃ）の材質、形状、大きさ、個数等は特に問わない。この分割布は、例えば、畳縁用の織物により形成されていることができる。
【００１５】
上述の形態の場合、例えば、上記本体布（５）の内側には、裏地布（８）が配置されており、本体布（５）と裏地布（８）との間には、中間布（１３）が配置されている形態（例えば、図２等参照）が挙げられる。この裏地布（８）の材質、形状、大きさ等は特に問わない。この裏地布は、例えば、眼鏡拭きと同種の材質により形成されていることができる。また、中間布（１３）の種類、形状、大きさ等は特に問わない。この中間布は、例えば、不織布により形成されていることができる。
【００１６】
本実施形態に係る眼鏡ケースとしては、例えば、上記本体布の内側には、裏地布（８）が配置されており、本体布及び裏地布の開口側の各縁部（１１ａ、１１ｂ）は、本体布（５）と裏地布（８）との間の内側に折り込まれており、該開口側の各縁部（１１ａ、１１ｂ）に眼鏡拭き（６）の縁部が第１糸（１５）で縫い付けられている形態（例えば、図２及び図３等参照）が挙げられる。
【００１７】
＜眼鏡ケースの製造方法＞
本実施形態に係る眼鏡ケースの製造方法は、上記実施形態に係る眼鏡ケース（１）の製造方法であって、シート状の本体布（５Ａ）の意匠面となる表面（５ａ）側に眼鏡拭き（６）を介して裏地布（８）を配置して、本体布及び裏地布の開口側の各縁部（１１ａ、１１ｂ）に眼鏡拭き（６）の縁部を第１糸（１５）で縫い付ける第１縫付工程（例えば、図５、６等参照）と、第１縫付工程の後に、本体布（５Ａ）の非意匠面となる裏面（５ｂ）側に裏地布（８）を配置することで、本体布及び裏地布の開口側の各縁部（１１ａ、１１ｂ）を本体布（５）と裏地布（８）との間の内側に折り込む縁部折込工程（例えば、図７、８等参照）と、縁部折込工程の後に、本体布（５）及び裏地布（８）を開口側の各縁部（１１ａ、１１ｂ）の左右の中心を通る折り返し線（Ｌ）で半分に折り返して、本体布（５）及び裏地布（８）の開口側の各縁部（１１ａ、１１ｂ）以外の周縁部を第２糸（１６）で縫い付ける第２縫付工程（例えば、図９等参照）と、を備える。
【００１８】
本実施形態に係る眼鏡ケースの製造方法としては、例えば、複数の分割布（７ａ〜７ｃ）を縫い合わせてシート状の本体布（５Ａ）を形成する本体布形成工程（例えば、図４等参照）を備えることができる。
【００１９】
なお、上記実施形態で記載した各構成の括弧内の符号は、後述する実施例に記載の具体的構成との対応関係を示すものである。
【実施例】
【００２０】
以下、図面を用いて実施例により本発明を具体的に説明する。
【００２１】
（１）眼鏡ケースの構成
本実施例に係る眼鏡ケース１は、図１及び図２に示すように、長尺袋状（具体的に、側面視で略矩形袋状）に形成されるとともに、その長尺方向の一端側に眼鏡２を出し入れするための開口３が形成された本体布５と、本体布５に縫い付けられる眼鏡拭き６と、を備えている。この眼鏡拭き６は、本体布５内に眼鏡２を収容した状態で開口３を塞ぎ得るように設けられている（図１（ｂ）参照）。さらに、眼鏡拭き６は、マイクロファイバーからなる生地により形成されている。
【００２２】
上記本体布５は、複数の分割布７ａ〜７ｃを縫い合わせて形成されている（図４参照）。これら各分割布７ａ〜７ｃは、畳縁用の織物により形成されている。また、本体布５の内側には、本体布５の非意匠面となる裏面５ｂ側を覆うように裏地布８が配置されている。この裏地布８は、眼鏡拭き６と同種の材質（すなわち、マイクロファイバーからなる生地）により形成されている。さらに、裏地布８は、シート状の本体布５Ａの平面形状と略同じ平面形状に形成されている（図５参照）。
【００２３】
なお、上記本体布５の長尺方向の一端側には、開口３を形成する円弧状縁部９が形成されている。よって、開口３は、眼鏡ケース１を開口３を上向きに垂直に立てたとき、手前側に向かって下方に広がる。
【００２４】
上記本体布５及び裏地布８の開口３側の各縁部１１ａ、１１ｂは、図３に示すように、本体布５と裏地布８との間の内側に折り込まれている。この開口３側の各縁部１１ａ、１１ｂの間に眼鏡拭き６の縁部が第１糸１５で縫い付けられている。また、本体布５と裏地布８との間には、不織布により形成された中間布１３が配置されている（図２参照）。この中間布１３の開口３側の縁部１１ｃは、裏地布８の開口側の縁部１１ｂの内側に挟み込まれている。さらに、中間布１３は、シート状の本体布５Ａの平面形状と略同じ平面形状に形成されている（図５参照）。
【００２５】
（２）眼鏡ケースの製造方法について
本実施例の眼鏡ケース１の製造方法は、以下に述べる本体布形成工程、第１縫付工程、縁部折込工程及び第２縫付工程を備えている。なお、本実施例では、袋状の本体布を符号「５」で示し、袋状となる前のシート状の本体布を符号「５Ａ」で示す。
【００２６】
上記本体布形成工程は、図４に示すように、複数の分割布７ａ〜７ｃを縫い合わせて１枚のシート状の本体布５Ａを形成する。具体的に、本体布５Ａは、中央の分割布７ａに対して左右の分割布７ｂ、７ｃを縫い合わせて形成されている。その縫い合わせ部分は、各分割布７ａ〜７ｃの縁部を折曲げて縫い付けられた部分であり、本体布５の他の部分よりも厚肉となる。
【００２７】
上記第１縫付工程は、図５及び図６に示すように、本体布５Ａの意匠面となる表面５ａ側に眼鏡拭き６を介して裏地布８を配置して、本体布５Ａ及び裏地布８の開口３側の各縁部１１ａ、１１ｂに対して眼鏡拭き６の縁部を第１糸１５（図６（ａ）中に破線で示す。）で縫い付ける。具体的に、本体布５Ａ上に、眼鏡拭き６、裏地布８及び中間布１３をこの順で積層し、本体布５Ａ、裏地布８及び中間布１３の開口側の各縁部１１ａ〜１１ｃに眼鏡拭き６の縁部を第１糸１５で縫い付ける。この第１糸１５による縫い付けは、本体布５Ａ、裏地布８及び中間布１３の開口３側の各縁部１１ａ〜１１ｃにわたって施される。
【００２８】
上記縁部折込工程は、図７及び図８に示すように、第１縫付工程の後に、本体布５Ａの非意匠面となる裏面５ｂ側に中間布１３を挟んで裏地布８を配置することで、本体布５Ａ及び裏地布８の開口３側の各縁部１１ａ、１１ｂを本体布５と裏地布６との間の内側に折り込む。具体的に、第１糸１５で縫い付けられた開口３側の縁部１１ａ〜１１ｃを起点として本体布５Ａに対して裏地布８及び中間布１３を裏返すことで、本体布５Ａの裏面５ｂ側に中間布１３を挟んで裏地布８が配置される。
【００２９】
上記第２縫付工程は、図９に示すように、縁部折込工程の後に、本体布５Ａ、裏地布８及び中間布１３を開口３側の各縁部１１ａ〜１１ｃの左右の中心を通る折り返し線Ｌで裏地布８同士が重なるように半分に折り返して、本体布５Ａ、裏地布８及び中間布１３の開口３側の各縁部１１ａ〜１１ｃ以外の周縁部を第２糸１６（図９（ｃ）中に破線で示す。）で縫い付ける。
【００３０】
（３）眼鏡ケースの作用
次に、上記構成の眼鏡ケース１の作用について説明する。図１（ａ）に示すように、本体布５の開口３を介して眼鏡２を出し入れする。この出し入れ時に、裏地布８により眼鏡２のレンズが拭かれる。また、本体布５内から眼鏡２を取り出した状態においては、眼鏡拭き６により眼鏡２のレンズを拭くことができる。さらに、図１（ｂ）に示すように、眼鏡２の長期収容時等には、眼鏡拭き６で開口３を塞いでおく。
【００３１】
（４）実施例の効果
本実施例の眼鏡ケース１によると、長尺袋状に形成されるとともに、その長尺方向の一端側に眼鏡２を出し入れするための開口３が形成された本体布５と、本体布５に縫い付けられる眼鏡拭き６と、を備え、眼鏡拭き６は、本体布５内に眼鏡２を収容した状態で開口３を塞ぎ得るように設けられている。これにより、眼鏡拭き６を利用して開口３を塞ぐことで、本体布５内に収容した眼鏡２の飛び出しや汚れ等が抑制される。
【００３２】
また、本実施例では、本体布５は、複数の分割布７ａ〜７ｃを縫い合わせて形成されている。これにより、意匠性の高い分割布７ａ〜７ｃを採用することで、眼鏡ケース１の意匠性が高められる。特に、本実施例では、分割布７ａ〜７ｃは、畳縁用の織物により形成されている。これにより、意匠性に優れるとともに、軽量且つ丈夫で汚れ難い本体布５を採用できる。
【００３３】
また、本実施例では、本体布５の内側には、裏地布８が配置されており、本体布５と裏地布８との間には、中間布１３が配置されている。これにより、裏地布８及び中間布１３により本体布５の各分割布７ａ〜７ｃの縫い合わせ部分での手触りの違和感（凹凸感）が抑制される。さらに、裏地布８により本体布５内に収容された眼鏡２の保護性が高められる。特に、本実施例では、中間布１３は、不織布により形成されているので、比較的薄い中間布１３により本体布５の手触りの違和感が抑制される。
【００３４】
また、本実施例では、本体布５の内側には、裏地布８が配置されており、本体布５及び裏地布８の開口側の各縁部１１ａ、１１ｂは、本体布５と裏地布８との間の内側に折り込まれており、該開口側の各縁部１１ａ、１１ｂに眼鏡拭き６の縁部が第１糸１５で縫い付けられている。これにより、本体布５及び裏地布８の両者に眼鏡拭き６が縫い付けられるとともに、眼鏡拭き６の縫い目が外部に露出しないため、長期使用しても眼鏡拭き６の縫い目が解け難く、眼鏡拭き６の縫付強度が高められて眼鏡ケース１の意匠性の低下が抑制される。さらに、裏地布８により本体布５内に収容された眼鏡２の保護性が高められる。
【００３５】
さらに、本実施例では、裏地布８は、眼鏡拭き６と同種の材質により形成されている。これにより、裏地布８に眼鏡拭き機能を持たせることができる。
【００３６】
本実施例の眼鏡ケース１の製造方法によると、シート状の本体布５Ａの意匠面となる表面５ａ側に眼鏡拭き６を介して裏地布８を配置して、本体布５及び裏地布８の開口側の各縁部１１ａ、１１ｂに眼鏡拭き６の縁部を第１糸１５で縫い付ける第１縫付工程と、第１縫付工程の後に、本体布５の非意匠面となる裏面５ｂ側に裏地布８を配置することで、本体布５及び裏地布８の開口側の各縁部１１ａ、１１ｂを本体布５と裏地布８との間の内側に折り込む縁部折込工程と、縁部折込工程の後に、本体布５及び裏地布８を開口側の各縁部１１ａ、１１ｂの左右の中心を通る折り返し線Ｌで半分に折り返して、本体布５及び裏地布８の開口側の各縁部１１ａ、１１ｂ以外の周縁部を第２糸１６で縫い付ける第２縫付工程と、を備える。これにより、上述の眼鏡ケース１を効率良く製造できる。
【００３７】
尚、本発明においては、上記実施例に限られず、目的、用途に応じて本発明の範囲内で種々変更した実施例とすることができる。すなわち、上記実施例では、中間布１３の開口３側の縁部１１ｃが裏地布８の開口３側の縁部１１ｂの折り返しの内側に挟まれる形態（図３参照）を例示したが、これに限定されず、例えば、図１０（ａ）に示すように、中間布１３の開口３側の縁部１１ｃが本体布５の開口３側の縁部１１ａの折り返しの内側に挟まれるようにしてもよい。
【００３８】
また、上記実施例では、本体布５と裏地布８の間に中間布１３を備える形態（図３参照）を例示したが、これに限定されず、例えば、図１０（ｂ）に示すように、本体布５と裏地布８の間に中間布１３を備えないようにしてもよい。
【００３９】
さらに、上記実施例では、複数の分割布７ａ〜７ｃからなる本体布５（５Ａ）を例示したが、これに限定されず、一枚の生地からなる本体布５（５Ａ）としてもよい。
【産業上の利用可能性】
【００４０】
本発明は、布製の眼鏡ケースに関する技術として広く利用される。
【符号の説明】
【００４１】
１；眼鏡ケース、２；眼鏡、３；開口、５；本体布、５ａ；本体布の表面（意匠面）、５ｂ；本体布の裏面（非意匠面）、６；眼鏡拭き、７ａ，７ｂ，７ｃ；分割布、８；裏地布、１１ａ；本体布の開口側の縁部、１１ｂ；裏地布の開口側の縁部、１３；中間布、１５；第１糸、１６；第２糸、Ｌ；折り返し線。
【図１】
2019198388.tif 000003
【図２】
2019198388.tif 000004
【図３】
2019198388.tif 000005
【図４】
2019198388.tif 000006
【図５】
2019198388.tif 000007
【図６】
2019198388.tif 000008
【図７】
2019198388.tif 000009
【図８】
2019198388.tif 000010
【図９】
2019198388.tif 000011
【図１０】
2019198388.tif 000012